(57)【特許請求の範囲】
【請求項１】
同一傾斜面内において互いに平行に配置された丸パイプよりなる複数
本の抱持枠部材１０と、複数本の抱持枠部材１０の上部に連結され、ボンベＢの上部背面が当接可能な上部水平枠部材１７と、複数本の抱持枠部材１０の下部に連結され、ボンベＢの底部よりずれた位置にある横枠材１５と、横枠材１５の左右各端部に連結された左右一対のキャスター取付枠部材２１と、左右一対のキャスター取付枠部材２１に左右各端部が連結され、ボンベＢの下部背面が当接可能な下部横枠部材１８とによって本体支持枠２５が構成されており、相隣接する２本の抱持枠部材１０と上部水平枠部材１７と下部横枠部材１８との間にボンベ収納空間Ｓが形成され、キャスター取付枠部材２１の一部分をなす脚部材１１にキャスター１３が装着されており、
ボンベＢの中間部正面が当接可能な中間部横枠部材１９が、本体支持枠２５の中間部正面側に配置され、中間部横枠部材１９の左右の曲げアーム部が最も外側にある抱持枠部材１０ａに連結されており、
各ボンベ収納空間Ｓの下部に配置された底部支承部材１６が左右一対のキャスター取付枠部材２１に連結されており、
抱持枠部材１０、上部水平枠部材１７、下部横枠部材１８、中間部横枠部材１９及び底部支承部材１６において、ボンベＢと接触する部分にクッションカバー２３が設けられており、
ボンベＢの長さ方向軸線が垂直となるようにボンベＢを前記ボンベ収納空間Ｓに挿入し、ボンベＢの底部を前記底部支承部材１６に載置するようにしたボンベ支持装置。
【請求項２】
同一傾斜面内において互いに平行に配置された丸パイプよりなる複数本の抱持枠部材１０と、複数本の抱持枠部材１０の上部に連結され、ボンベＢの上部背面が当接可能な上部水平枠部材１７と、複数本の抱持枠部材１０の下部に連結され、ボンベＢの底部よりずれた位置にある横枠材１５と、横枠材１５の左右各端部に連結された左右一対のキャスター取付枠部材２１と、左右一対のキャスター取付枠部材２１に左右各端部が連結され、ボンベＢの下部背面が当接可能な下部横枠部材１８とによって本体支持枠２５が構成されており、相隣接する２本の抱持枠部材１０と上部水平枠部材１７と下部横枠部材１８との間にボンベ収納空間Ｓが形成され、キャスター取付枠部材２１の一部分をなす脚部材１１にキャスター１３が装着されており、
ボンベＢの中間部正面側に掛け渡した制止用部材４０の左右両端部が最も外側にある抱持枠部材１０ａに連結されており、
抱持枠部材１０、上部水平枠部材１７及び下部横枠部材１８において、ボンベＢと接触する部分にクッションカバー２３が設けられており、
ボンベＢの上部に装着したプロテクター３０に設けた下向きのフック３２を前記上部水平枠部材１１に掛合させて、ボンベＢの長さ方向軸線が垂直となるようにボンベＢを前記ボンベ収納空間Ｓに挿入するようにしたボンベ支持装置。
【発明の詳細な説明】
【０００１】
【発明の属する技術分野】
本発明は、酸素ボンベ等の各種ボンベを直立状態に支持して所定場所に保管したり、必要に応じて供用場所に運搬するのに使用されるボンベ支持装置に関するものである。
【０００２】
【従来の技術】
病院や療養施設において酸素ボンベをナースセンターなどの器材置場に保管するには、図５に例示したようなボンベスタンド６０が使用されている。このボンベスタンド６０は、器材置場の床面に定置されるベース盤６４と、ベース盤６４の中心部に立設されたセンターポール６１と、センターポール６１に上下２段に固着された放射状の水平ブラケット６２と、水平ブラケット６２の先端部に固着された抱持リング６３とから構成されている。
【０００３】
ボンベBは上方から上下２段の抱持リング６３に挿入抜去されるのであるが、その際にボンベBの底部側面や胴部側面が抱持リング６３の内周エッヂ部や内周側面に度々摺接するため、ボンベBの表面塗装が損傷を受けたり、塗装面に表示した充填ガス名や所属名などの各種記号が剥落することになった。
ボンベBの挿入抜去時の抱持リング６３との擦れによる損傷問題は、抱持リング６３の内径とボンベBの外径との差の大小にほとんど関係なく発生し、抱持リング６３とボンベB
との接触が一定の幅と長さを有する面接触であるため、一層助長されている。
【０００４】
ボンベを保管場所から患者ベッドサイドなどの供用場所に運搬するときには、図６に例示したような手押し台車７０が使用されている。この手押し台車７０は、台座板７１と起立枠７２の会合部に車輪７４を装着したものであり、起立枠７２には上下２段に円弧状の受け板７３を水平に固着してある。
ボンベスタンド６０の抱持リング６３から抜去されたボンベBは、手押し台車７０の台座板７１に載置され、脱落制止用チェーン７６がボンベBの胴部に掛け渡される。該チェーン７６の両端部を起立枠７２に係止した後、起立枠７２のハンドル部７５を握って起立枠７２を傾斜させ、台座板７１を床面から浮かせて供用場所に運搬される。
【０００５】
この手押し台車７０では、ボンベBを台座板７１に載置するときに、ボンベＢの胴部外側面が円弧状受け板７３の内周エッヂ部や内側面に摺接する。また、ボンベＢの胴部外側面が運搬時の振動衝撃によって円弧状受け板７３の内側面に衝突する。そのため、ボンベBの表面塗装が損傷を受けたり、塗装面に表示した充填ガス名や所属名などの各種記号が剥落することになった。
ボンベBの載置時や運搬時の円弧状受け板７３との擦れによる損傷問題は、受け板７３の内径とボンベBの外径との差の大小にほとんど関係なく発生し、受け板７３とボンベBとの接触が一定の幅と長さを有する面接触であるため、一層助長されている。
【０００６】
このような損傷を受けたボンベBについては、損傷状況に応じて一部又は全面的な表面塗装の修復作業を行う必要があるが、ボンベB自体の機械的耐用期間に比べて、表面塗装が要修復となるまでの期間が短いため、何回も修復作業を行わなければならず、保守コストがかさばるものとなっている。
【０００７】
【発明が解決しようとする課題】
したがって本発明の目的は、収納空間への挿入抜去時や運搬時の衝突や擦れによる表面塗装などの損傷問題が軽減され、また、運搬車への移し替え作業をせずに供用場所へそのまま運搬できるボンベ支持装置を提供することである。
【０００８】
【課題を解決するための手段】
以下、添付図面中の参照符号を用いて説明すると、請求項１の発明のボンベ支持装置では、同一傾斜面内において互いに平行に配置された丸パイプよりなる複数本の抱持枠部材１０と、複数本の抱持枠部材１０の上部に連結され、ボンベＢの上部背面が当接可能な上部水平枠部材１７と、複数本の抱持枠部材１０の下部に連結され、ボンベＢの底部よりずれた位置にある横枠材１５と、横枠材１５の左右各端部に連結された左右一対のキャスター取付枠部材２１と、左右一対のキャスター取付枠部材２１に左右各端部が連結され、ボンベＢの下部背面が当接可能な下部横枠部材１８とによって本体支持枠２５が構成されており、相隣接する２本の抱持枠部材１０と上部水平枠部材１７と下部横枠部材１８との間にボンベ収納空間Ｓが形成され、キャスター取付枠部材２１の一部分をなす脚部材１１にキャスター１３が装着されており、
ボンベＢの中間部正面が当接可能な中間部横枠部材１９が、本体支持枠２５の中間部正面側に配置され、中間部横枠部材１９の左右の曲げアーム部が最も外側にある抱持枠部材１０ａに連結されており、
各ボンベ収納空間Ｓの下部に配置された底部支承部材１６が左右一対のキャスター取付枠部材２１に連結されており、
抱持枠部材１０、上部水平枠部材１７、下部横枠部材１８、中間部横枠部材１９及び底部支承部材１６において、ボンベＢと接触する部分にクッションカバー２３が設けられており、
ボンベＢの長さ方向軸線が垂直となるようにボンベＢを前記ボンベ収納空間Ｓに挿入し、ボンベＢの底部を前記底部支承部材１６に載置する。
【０００９】
請求項２の発明のボンベ支持装置では、同一傾斜面内において互いに平行に配置された丸パイプよりなる複数本の抱持枠部材１０と、複数本の抱持枠部材１０の上部に連結され、ボンベＢの上部背面が当接可能な上部水平枠部材１７と、複数本の抱持枠部材１０の下部に連結され、ボンベＢの底部よりずれた位置にある横枠材１５と、横枠材１５の左右各端部に連結された左右一対のキャスター取付枠部材２１と、左右一対のキャスター取付枠部材２１に左右各端部が連結され、ボンベＢの下部背面が当接可能な下部横枠部材１８とによって本体支持枠２５が構成されており、相隣接する２本の抱持枠部材１０と上部水平枠部材１７と下部横枠部材１８との間にボンベ収納空間Ｓが形成され、キャスター取付枠部材２１の一部分をなす脚部材１１にキャスター１３が装着されており、
ボンベＢの中間部正面側に掛け渡した制止用部材４０の左右両端部が最も外側にある抱持枠部材１０ａに連結されており、
抱持枠部材１０、上部水平枠部材１７及び下部横枠部材１８において、ボンベＢと接触する部分にクッションカバー２３が設けられており、
ボンベＢの上部に装着したプロテクター３０に設けた下向きのフック３２を前記上部水平枠部材１１に掛合させて、ボンベＢの長さ方向軸線が垂直となるようにボンベＢを前記ボンベ収納空間Ｓに挿入する。
【００１０】
【発明の作用】
請求項１の発明では、ボンベ支持装置Ａは、器材置場などの床面に定置される。図１と図２に示されたように底部が底部支承部材１６に載置され、胴部が抱持枠部材１０に挟まれるまで、ボンベＢをボンベ収納空間Sに挿入するとき、あるいはボンベＢをボンベ収納空間Ｓから抜去するとき、ボンベＢの外周側面と傾斜した抱持枠部材１０、上部水平枠部材１７、下部横枠部材１８及び中間部横枠部材１９との衝突や擦れは、ボンベＢの円周廻り方向のどこでなされても、クッションカバー２３を介しての点接触または線接触にてなされる。
ボンベＢの倒れ込みは、左右方向については抱持枠部材１０によって阻止され、前面方向については中間部横枠部材１９と下部横枠部材１８によって阻止され、後面方向については上部水平枠部材１７と下部横枠部材１８によって阻止される。
脚部材１１のキャスター１３を使用して、ボンベ支持装置Ａはボンベ収納空間SにボンベＢを収納したまま所要の供用場所に運搬される。ボンベ支持装置Ａは床面と平行に移動させられる。
【００１１】
請求項２の発明では、ボンベ支持装置Ａは、器材置場などの床面に定置される。図３と図４に示されたようにプロテクター３０の下向きフック３２が上部水平枠部材１７に掛合し、胴部が抱持枠部材１０に挟まれるまで、ボンベＢをボンベ収納空間Sに挿入するとき、あるいはボンベＢをボンベ収納空間Ｓから抜去するとき、ボンベＢの外周側面と傾斜配置の抱持枠部材１０、上部水平枠部材１７及び下部横枠部材１８との衝突や擦れは、ボンベＢの円周廻り方向のどこでなされても、クッションカバー２３を介しての点接触または線接触にてなされる。
ボンベＢの倒れ込みは、左右方向については抱持枠部材１０によって阻止され、前面方向については上部水平枠部材１７と中間部正面側に掛け渡した制止部材４０及び下部横枠部材１８によって阻止され、後面方向については上部水平枠部材１７と前記制止部材４０によって阻止される。
脚部材１１のキャスター１３を使用して、ボンベ支持装置Ａはボンベ収納空間SにボンベＢを収納したまま所要の供用場所に運搬される。ボンベ支持装置Ａは床面と平行に移動させられる。
【００１２】
【発明の実施の形態】
図１と図２に示した実施例は請求項１の発明に係るものである。課題を解決するための手段及び発明の作用の項で説明した部分についてはこれを援用し、重ねての説明を省略する（他の請求項の発明に係る実施例の説明においても同じ）。  アルミニウムの丸パイプよりなる抱持枠部材１０は４本平行に並べて配置されており、これらは鉛直線に対して約２０度に傾斜している。最も外側にある左右の抱持枠部材１０ａは、アルミニウムパイプをＵ字状に曲げ加工することによって形成されており、Ｕ字状曲げ部分は他の直線状の抱持枠部材１０よりも上方に突き出ており、ハンドル部２４を形成している。
抱持枠部材１０，１０ａには上部水平枠部材１７と横枠材１５が上下２箇所において固着具２０によって連結されており、外側の抱持枠部材１０ａには中間部横枠部材１９のアーム端部が連結されている。前記横枠材１５と底部支承部材１６と下部横枠部材１８の各左右端部には、逆Ｕ字状のキャスター取付枠部材２１が固着され、キャスター取付枠部材２１の垂直辺部分が脚部材１１になっている。
【００１３】
このボンベ支持装置Ａでは３本のボンベＢが保管及び運搬可能であり、各ボンベＢは隣り合う２本の抱持枠部材１０，１０ａに挟まれ、底部支承部材１６によって落下を阻止され、上部水平枠部材１７、下部横枠部材１８,中間部横枠部材１９によって前後方向の揺動を阻止される。
ボンベ支持装置Ａは前記ハンドル部２４を握って押したり、牽引することによって、ボンベＢの供用場所に移動させられる。この運搬中、ボンベＢはほぼ直立状態にある。
【００１４】
図３と図４は請求項２の発明に係る実施例を示しており、構成の主体部分と作用効果は図１と図２に示した前記実施例と共通している。
この実施例では、中間部横枠部材１９が省略され、チェーンやバンドなどの制止用部材４０がボンベＢの胴部の中間部正面に掛け渡され、その左右端部が接続金具４１によって最も外側の抱持枠部材１０ａに連結されている。
ボンベＢの上部に接続したプロテクター３０には、酸素などの医療用ガスを所要圧力に調整して酸素マスクやチューブなどのガス使用器具に供給するのに必要な圧力調整器や開閉弁、圧力計などを包括的に組み込んである。プロテクター３０の上部には、少し背面側に湾曲させてハンドル３１が突き出し形成されている。このハンドル３１を掴んで押せば、ボンベ支持装置Ａは所要の器材置場や供用場所に移動させられる。
このようなハンドル付きプロテクター３０がボンベＢに装着されているときには、本体支持枠２５の側に移動用ハンドルと、それを連結するための起立枠部材を設ける必要がないから、材料費の軽減が可能であり、ボンベＢを収納していないときにおけるボンベ支持装置Ａの丈を低くし、保管スペースの節減になる。
【００１５】
各実施例において本体支持枠２５を構成するパイプは、軽量化のためにはアルミニウムパイプが好ましいが、ステンレスパイプであっても何ら差し支えないし、その他エンジニヤリングプラスチックパイプでもよく、この場合は前記のプラスチックやゴム材よりなるクッションカバー２３は不要となる。
【００１６】
【発明の効果】
請求項１の発明及び請求項２の発明に共通の効果として、ボンベ収納空間Sを形成し、ボンベBの胴部を挟持する複数本の抱持枠部材１０は丸パイプ材で構成され、ボンベＢの長さ方向軸線と傾斜して配設されているので、ボンベ収納空間SへのボンベBの挿入時あるいは抜去時において、ボンベＢの外周側面が抱持枠部材１０の内側面に衝突あるいは擦れても、いずれも面接触ではなくて点接触または線接触によりなされ、かつ、この接触はクッションカバー２３を介してなされるため、ボンベＢの表面塗装や記号表示部の剥離損傷が発生しないか、大幅に抑制される。
表示記号などを変更するといった特別の理由がない限り、ボンベＢの機械的耐用期間中は表面塗装の修復作業が原則として不要となるから、ボンベＢの保守コストが節減できる。
【００１７】
また、ボンベＢの収納空間Ｓは抱持枠部材１０によって個別に区画されているから、収納されたボンベＢが相互に接触して傷を付け合うことがない。ボンベ支持装置に収納したまま運搬するとき、隣り合うボンベＢ同士が衝突して不快な衝突音を発生させることがないから、病院などにおいて使用するのに適した静粛性を有する。
さらにまた、脚部材１１にキャスター１３を装着してあるため、ボンベＢを本体支持枠２５に収納支持したまま、供用場所に運搬することができる。ボンベ支持装置はボンベ運搬手段として使用でき、ボンベ支持装置Ａから運搬車への移し替え作業が不要であるから、病院などにおいて緊急時の対応措置が迅速に行える。
次に各請求項の発明に特有の効果について述べる。
【００１８】
請求項１の発明では、上部水平枠部材１７にボンベＢの上部背面が当接し、下部横枠部材１８にボンベＢの下部背面が当接し、底部支承部材１６にボンベBの底部が当接し、中間部横枠部材１９にボンベＢの中間部正面が当接するため、ボンベ収納空間Sに挿入されたボンベＢは、前後左右に揺動することなく的確に安定保持される。
また、ボンベ支持装置Ａの本体支持枠２５は、同一傾斜面内において互いに平行に配置された複数本の抱持枠部材１０と、抱持枠部材１０の上部に連結された上部水平枠部材１７と、抱持枠部材１０の下部に連結された横枠材１５と、横枠材１５に連結された左右一対のキャスター取付枠部材２１と、キャスター取付枠部材２１に連結された下部横枠部材１８とによって構成されており、中間部横枠部材１９の左右の曲げアーム部が最も外側にある抱持枠部材１０ａに連結されているものであるから、ボンベ支持装置Ａは平面視において全体として細長く形成されており、器材置場の壁と平行に並べて設置することによって、保管用スペースの平面的な利用効率を高めることができる。
ボンベ収納空間ＳにボンベＢを収納した後は、抱持枠部材１０によって的確に支持され、チェーンやバンドなどによってボンベBの胴部を本体支持枠２５に括り付ける必要がないから、保管および運搬が簡単に行える。
【００１９】
請求項２の発明では、プロテクター３０の下向きフック３２を上部水平枠部材１７に掛合させることによってボンベBが吊り下げられ、上部水平枠部材１７にボンベＢの上部背面が当接し、下部横枠部材１８にボンベＢの下部背面が当接し、ボンベBの中間部正面に掛け渡した制止用部材４０の左右端部が本体支持枠２５に接続されるため、ボンベ収納空間Sに挿入されたボンベBは、前後左右に揺動することなく的確に安定保持される。
また、ボンベ支持装置Ａの本体支持枠２５は、同一傾斜面内において互いに平行に配置された複数本の抱持枠部材１０と、抱持枠部材１０の上部に連結された上部水平枠部材１７と、抱持枠部材１０の下部に連結された横枠材１５と、横枠材１５に連結された左右一対のキャスター取付枠部材２１と、キャスター取付枠部材２１に連結された下部横枠部材１８とによって構成されており、制止用部材４０の左右両端部が最も外側にある抱持枠部材１０ａに連結されるものであるから、ボンベ支持装置Ａは平面視において全体として細長く形成されており、器材置場の壁と平行に並べて設置することによって、保管用スペースの平面的な利用効率を向上させることができる。
【図面の簡単な説明】
【図１】  請求項１の発明の一実施例に係るボンベ支持装置の右側面図である。
【図２】  図１のボンベ支持装置の右側面図である。
【図３】  請求項２の発明の一実施例に係るボンベ支持装置の右側面図である。
【図４】  図３のボンベ支持装置の正面図である。
【図５】  従来のボンベスタンドの平面図である。
【図６】  従来のボンベ運搬用手押し台車の右側面図である。
【符号の説明】
１０  抱持枠部材
１１  脚部材
１２  逆U字状パイプ枠
１３  キャスター
１５  横枠材
１６  底部支承部材
１７  上部水平枠部材
１８  下部横枠部材
１９  中間部横枠部材
２０  連結用固着具
２１  キャスター取付枠部材
２３  クッションカバー
２４  本体支持枠のハンドル部
２５  本体支持枠
３０  プロテクター
３１  プロテクターのハンドル
３２  下向きフック
４０  制止用部材
Ａ  ボンベ支持装置
Ｂ  ボンベ
Ｓ  ボンベ収納空間
【図１】
0003638902.tif 000002
【図２】
0003638902.tif 000003
【図３】
0003638902.tif 000004
【図４】
0003638902.tif 000005
【図５】
0003638902.tif 000006
【図６】
0003638902.tif 000007